(57)【要約】【課題】使用者が取っ手を持ち掃除機本体を持ち上げた際に取っ手がケースから外れても、掃除機本体が落下してしまうことを未然に防止することができ、取っ手の材質及び形状等の自由度が高く、加えて、取っ手を掃除機本体のケースに取り付ける際の組立製造性が良好である電気掃除機を提供する。【解決手段】電気掃除機において、掃除機本体の外郭を形成し、底面の前端部近傍に設けられた取っ手用開口部を有するケース体と、前記ケース体とは別部材で設けられ、一端側に開口を有する取っ手部材と、を備え、前記取っ手部材は、前記ケース体の内部側から、前記開口が前記取っ手用開口部に接続されて設けられる構成とする。【選択図】図５
2014083068.tif 000002
【特許請求の範囲】
【請求項１】
掃除機本体の外郭を形成し、底面の前端部近傍に設けられた取っ手用開口部を有するケース体と、
前記ケース体とは別部材で設けられ、一端側に開口を有する取っ手部材と、を備え、
前記取っ手部材は、前記ケース体の内部側から、前記開口が前記取っ手用開口部に接続されて設けられることを特徴とする電気掃除機。
【請求項２】
前記取っ手部材の他端側の外面と、前記ケース体の前面下部の内面とが対向することを特徴とする請求項１に記載の電気掃除機。
【請求項３】
前記取っ手部材の他端側の外面と、前記ケース体の前面下部の内面とが当接することを特徴とする請求項１又は請求項２に記載の電気掃除機。
【請求項４】
前記ケース体の前面下部は、前記ケース体の前端から下方にいくにしたがって徐々に後方へと後退する逆傾斜面部を有することを特徴とする請求項１から請求項３のいずれか一項に記載の電気掃除機。
【請求項５】
前記ケース体は、下ケースと、この下ケースの上側に組み合わされる上ケースとからなり、
前記取っ手用開口部は、前記下ケースに設けられ、
前記取っ手部材は、前記下ケースの上側から前記開口が前記取っ手用開口部に接続されて設けられることを特徴とする請求項１から請求項４のいずれか一項に記載の電気掃除機。
【請求項６】
前記逆傾斜面部の少なくとも一部は、前記上ケースに形成されることを特徴とする請求項４に従属する請求項５に記載の電気掃除機。
【発明の詳細な説明】
【技術分野】
【０００１】
この発明は、電気掃除機に関するものである。
【背景技術】
【０００２】
従来における電気掃除機においては、集塵部及び電動送風機収納部を並設した下ケースと、電動送風機収納部上方を覆う上ケースと、下ケースの前方に別体に設けられ、下ケースに対し下方から上方に挿入するように取り付けられる取っ手と、を備えたものが知られている（例えば、特許文献１参照）。
【先行技術文献】
【特許文献】
【０００３】
【特許文献１】特開平１１−０５６６９５号公報
【発明の概要】
【発明が解決しようとする課題】
【０００４】
しかしながら、特許文献１に示された従来における電気掃除機においては、取っ手がケースの前方に別体に取り付けられている。このため、使用者が取っ手を持ち掃除機本体を持ち上げた際に取っ手がケースから外れてしまい、掃除機本体が落下してしまうおそれがある。
【０００５】
また、取っ手がケースに対し下方から上方に挿入するように取り付けられるため、取っ手をケースに取り付ける際に一旦ケースの底面が上に向くようにひっくり返す等の手間が必要であって、組立製造性が良好でない。
【０００６】
さらに、取っ手を構成する部材が掃除機本体の前面下部の外郭も兼ねている（取っ手を構成する部材が外に露出している）ため、意匠性とある程度以上の強度とが求められる。このため、強度と意匠性の兼ね合いから、取っ手を構成する部材の材質及び形状等について厳しく制限されることとなり、材質及び形状等の自由度が低く、場合によっては取っ手の持ちやすさ等が犠牲となってしまう。また、取っ手を構成する部材をプラスチック成型等により製作する場合、この製作手段によっても形状等が制限される。
【０００７】
この発明は、このような課題を解決するためになされたもので、第１の目的は、使用者が取っ手を持ち掃除機本体を持ち上げた際に取っ手がケースから外れても、掃除機本体が落下してしまうことを未然に防止することができる電気掃除機を得るものである。
【０００８】
また、第２の目的は、取っ手を掃除機本体のケースに取り付ける際の組立製造性が良好である電気掃除機を得るものである。さらに、第３の目的は、取っ手を構成する部材の材質及び形状等について、従前と比べてより自由に決定することができる電気掃除機を得るものである。
【課題を解決するための手段】
【０００９】
この発明に係る電気掃除機においては、掃除機本体の外郭を形成し、底面の前端部近傍に設けられた取っ手用開口部を有するケース体と、前記ケース体とは別部材で設けられ、一端側に開口を有する取っ手部材と、を備え、前記取っ手部材は、前記ケース体の内部側から、前記開口が前記取っ手用開口部に接続されて設けられる構成とする。
【発明の効果】
【００１０】
この発明に係る電気掃除機においては、使用者が取っ手を持ち掃除機本体を持ち上げた際に取っ手がケースから外れても、掃除機本体が落下してしまうことを未然に防止することができるという効果を奏する。また、取っ手を掃除機本体のケースに取り付ける際の組立製造性が良好であるという効果も併せ奏する。さらには、取っ手を構成する部材の材質及び形状等について、従前と比べてより自由に決定することができるという効果も併せ奏する。
【図面の簡単な説明】
【００１１】
【図１】この発明の実施の形態１に係る電気掃除機の全体構成を示す斜視図である。
【図２】この発明の実施の形態１に係る掃除機本体の側面図である。
【図３】この発明の実施の形態１に係る掃除機本体の底面図である。
【図４】この発明の実施の形態１に係る掃除機本体の側方要部断面図である。
【図５】図４の要部拡大断面図である。
【図６】この発明の実施の形態１に係る取っ手部が取り付けられた状態の掃除機本体の下ケースの斜視図である。
【図７】この発明の実施の形態１に係る取っ手部が取り付けられた状態の掃除機本体の下ケースの平面図である。
【図８】この発明の実施の形態１に係る取っ手部が取り付けられた状態の掃除機本体の下ケースの側方断面図である。
【図９】この発明の実施の形態１に係る掃除機本体の下ケースと取り外された状態の取っ手部の要部拡大断面図である。
【図１０】この発明の実施の形態２に係る掃除機本体の側方要部断面図である。
【図１１】図１０の要部拡大断面図である。
【発明を実施するための形態】
【００１２】
この発明を添付の図面に従い説明する。各図を通じて同符号は同一部分又は相当部分を示しており、その重複説明は適宜に簡略化又は省略する。
【００１３】
実施の形態１．
図１から図９は、この発明の実施の形態１に係るもので、図１は電気掃除機の全体構成を示す斜視図、図２は掃除機本体の側面図、図３は掃除機本体の底面図、図４は掃除機本体の側方要部断面図、図５は図４の要部拡大断面図、図６は取っ手部が取り付けられた状態の掃除機本体の下ケースの斜視図、図７は取っ手部が取り付けられた状態の掃除機本体の下ケースの平面図、図８は取っ手部が取り付けられた状態の掃除機本体の下ケースの側方断面図、図９は掃除機本体の下ケースと取り外された状態の取っ手部の要部拡大断面図である。
【００１４】
図１において、吸込口体１は、下向きに形成された開口から、床面上のごみ（塵埃）を空気と一緒に吸い込むためのものである。吸込口体１の長手方向略中央部には、排気のための接続部が設けられている。吸込口体１の接続部には、吸引パイプ２の一側（吸気側）の端部が接続される。この吸引パイプ２は、中空円筒状を呈する直状の部材からなる。吸引パイプ２の他側（排気側）の端部には、接続パイプ３の一側（吸気側）の端部が接続される。この接続パイプ３は、途中で折れ曲がった中空円筒状の部材からなる。
【００１５】
接続パイプ３には、把持部３ａが設けられている。把持部３ａは、電気掃除機の使用者が持って操作するためのものである。把持部３ａには、電気掃除機の運転を制御するための操作スイッチが設けられている。接続パイプ３の他側（排気側）の端部には、ホース４の一側（吸気側）の端部が接続される。このホース４は、可撓性を備えた蛇腹状を呈する部材からなる。
【００１６】
ホース４の他側（排気側）の端部は、掃除機本体６に接続される。より詳しくは、ホース４の他側（排気側）の端部には、ホース接続部５が形成されている。このホース接続部５に対応して、掃除機本体６の前端部近傍には、ホース接続口６ａが形成されている。そして、ホース接続部５をホース接続口６ａに挿入係合することで、ホース４が掃除機本体６に接続される。
【００１７】
さらに、図２も参照しながら、掃除機本体６について説明する。掃除機本体６は、ごみを含む空気（含塵空気）からごみを分離し、ごみが取り除かれた空気（清流空気）を排出する（例えば、室内に戻す）ためのものである。掃除機本体６には、掃除機本体６へと流入した含塵空気中のごみ（塵埃）を捕捉して集める集塵部６ｂが設けられている。
【００１８】
吸込口体１の開口から掃除機本体６の集塵部６ｂまでが、吸引パイプ２、接続パイプ３及びホース４の内部を経由して一続きに形成される。すなわち、吸込口体１、吸引パイプ２、接続パイプ３及びホース４は、含塵空気を掃除機本体６の集塵部６ｂへと流入させるための吸引経路の一部を構成している。
【００１９】
なお、掃除機本体６には、図示しない電動送風機が内蔵されている。この電動送風機により、前述した吸引経路を経由して掃除機本体６の集塵部６ｂへと含塵空気を吸引する吸引動作が駆動される。掃除機本体６の後寄りの左右両側には後輪６ｃが取り付けられている。また、掃除機本体６の底面の前寄りには左右一対の前輪６ｄが取り付けられている。
【００２０】
掃除機本体６は、大きく分けて前述した集塵部６ｂ、下ケース７及び上ケース８から構成されている。下ケース７及び上ケース８は、組み合わされて内部に前述した電動送風機、配線基板及びコードリール等が収容されるケース体を構成する。このケース体は掃除機本体６の外郭を形成している。集塵部６ｂは、こうして下ケース７及び上ケース８により構成された前記ケース体の上面側に載置・装着される。
【００２１】
図３は、掃除機本体６を底面から見た図である。前述したように、掃除機本体６の後寄り左右両側には一対の後輪６ｃが設けられ、掃除機本体６の底面の前寄りには一対の前輪６ｄが設けられている。掃除機本体６の底面の前端部近傍には、使用者が掃除機本体６を持ち上げる際に用いるための取っ手部が形成されている。この取っ手部は、下ケース７にが穿設された取っ手用開口部７ａの位置に、下ケース７とは別体に設けられた取っ手部材９が設けられることにより形成される。
【００２２】
さらに、図４及び図５も参照して、この取っ手部について詳細に説明する。下ケース７の底面の前端部近傍（言い換えれば、ここでは、下ケース７の底面の前端部と前輪６ｄとの間の位置）には、取っ手用開口部７ａが穿設されている。そして、下ケース７と上ケース８とで構成される前記ケース体の内側における取っ手用開口部７ａに対応する位置には、取っ手部材９が取り付けられる。
【００２３】
取っ手部材９は、取っ手用開口部７ａへと接続される一端側が開口されている。また、取っ手部材９の他端側は閉じられて袋小路状となっている。取っ手部材９の内面側には、取っ手用開口部７ａへと接続される一端側が開放された取っ手内空間９ａが形成される。
【００２４】
取っ手部材９の開口を取っ手用開口部７ａに接続するようにして、取っ手部材９を下ケース７の上側から取り付けることで、掃除機本体６の前記取っ手部が形成される。この状態において、取っ手内空間９ａは、まず、前記ケース体内を取っ手用開口部７ａから上方に延び、さらにそこから前記ケース体内の前方へと延びている。取っ手内空間９ａの前端は、前記ケース体の前端部のすぐ内側にまで達している。
【００２５】
ここで、下ケース７と上ケース８とが組み合わされて形成される前記ケース体の形状は、上面側が後方が高く前方にいくにしたがって徐々に低くなる傾斜面状であり、この斜面の最低部が前端を形成している。そして、下面側が、この前端からさらに下方にいくにしたがって、徐々に後方へと退いていく逆傾斜面状となっている。
【００２６】
前述したように、このような形状をもつ前記ケース体は、下ケース７及び上ケース８が組み合わされて形成されている。そして、前記ケース体の前記前端は上ケース８のケース前端部８ａにより形成され、前記ケース体の逆傾斜面状の部分は、上ケース８の逆傾斜面部８ｂにより形成されている。
【００２７】
そして、取っ手部材９の反開口側（前記他端側）の取っ手前面部９ｂが、上ケース８の逆傾斜面部８ｂに対して前記ケース体の内側から対向するようにして配置される。したがって、取っ手部材９の取っ手前面部９ｂは、上ケース８の逆傾斜面部８ｂに合うような傾斜状を呈している。なお、ここで、逆傾斜面部８ｂの内面と取っ手前面部９ｂの外面とが当接するようにしてもよいし、ある程度の（好ましくは僅少な）間隙を設けて逆傾斜面部８ｂの内面と取っ手前面部９ｂの外面とが対向するようにしてもよい。
【００２８】
一般に、電気掃除機は、使用者が接続パイプ３の把持部３ａを持ってホース４により連結された掃除機本体６を引き回すようにして使用する場面が多い。このような場面においては、特に、掃除機本体６の前面下部が床面の障害物等と衝突しやすい。そこで、掃除機本体６の前面下部において、上ケース８の逆傾斜面部８ｂと取っ手部材９の取っ手前面部９ｂとが重ね合わされて配置されるようにすることで、掃除機本体６の前面下部の強度を増して、床面の障害物等と衝突した際に破損等してしまうことを未然に防止することができる。
【００２９】
下ケース７と上ケース８とを組み合わせて前記ケース体を製造する際には、下ケース７に上ケース８を組み合わせる前に、下ケース７に取っ手部材９が固定される。図６から図８は、この下ケース７に取っ手部材９が固定され、上ケース８は下ケース７から取り外された状態を示す図である。また、図９は、下ケース７から取っ手部材９が取り外された状態、あるいは、下ケース７へと取っ手部材９を取り付ける前の状態を示す図である。
【００３０】
これらの図に示すように、掃除機本体６の前記ケース体を組立製造する際には、まず、下ケース７の取っ手用開口部７ａの位置に取っ手部材９の開口を合わせて、下ケース７に対して取っ手部材９を固定する。この際には、取っ手部材９を下ケース７の上方側から取り付ける。したがって、取っ手部材９を取り付けるために下ケース７の天地をひっくり返す必要がなく、組立製造性に優れる。
【００３１】
また、前述したように、下ケース７と上ケース８とを組み合わせた状態においては、取っ手前面部９ｂと逆傾斜面部８ｂとが対向する。したがって、取っ手部材９が固定された状態の下ケース７に上ケース８を取り付ける際に、取っ手部材９をガイドとして上ケース８の取り付け位置を合わせることができ、この点においても組立製造性に優れる。さらに、これらの面は逆傾斜面となっているため、上ケース８を取っ手部材９に引っ掛けるようにして位置合わせを行うことができ、より便宜である。
【００３２】
なお、取っ手部材９の形状について、取っ手部材９の反開口側（前記他端側）は先端にいくにしたがって徐々にすぼまる略アーチ状を呈している。このような形状とすることで、取っ手部材９の反開口側（前記他端側）の強度を増すことができるとともに、取っ手内空間９ａに手を入れた際に、手によく合って、より持ちやすい取っ手とすることができる。
【００３３】
また、取っ手用開口部７ａと取っ手部材９とからなる取っ手部は、前述したように、下ケース７の底面の前端部と前輪６ｄとの間に配置されている。そして、前輪６ｄを左右一対、計２つの車輪から構成して、車輪を下ケース７の底面の左右に分けて１つずつ配置している。このため、例えば、１つだけの前輪６ｄを下ケース７の底面の中央に配置した場合、使用者が取っ手部に手を入れた際に使用者の手と前輪６ｄとが干渉してしまうおそれがあるところ、前述したように一対の前輪６ｄを下ケース７の底面の左右に分けて配置することで、下ケース７の底面の中央部分に車輪のような突出した部位が設けられることがないため、使用者が取っ手部に手を入れた際における干渉を回避することができる。
【００３４】
以上のように構成された電気掃除機は、掃除機本体の外郭を形成し、底面の前端部近傍に設けられた取っ手用開口部を有するケース体と、ケース体とは別部材で設けられ、一端側に開口を有する取っ手部材と、を備えている。そして、取っ手部材は、ケース体の内部側から、前記開口が取っ手用開口部に接続されて設けられたものである。
【００３５】
使用者が取っ手を持つ際には、使用者の手は、ケース体の取っ手用開口部に通された上で取っ手部材の取っ手内空間へと通されることになる。したがって、使用者が取っ手を持ち掃除機本体を持ち上げた際に取っ手がケースから外れても、使用者はケース体の取っ手用開口部でもって掃除機本体を支持することができ、掃除機本体が落下してしまうことを未然に防止することが可能である。
【００３６】
また、取っ手部材は、ケース体の内側に配設されており、取っ手部材は掃除機本体の外郭を兼ねるものではない。このため、取っ手部材に求められる強度及び意匠性のレベルは従前の取っ手部材が掃除機本体の外郭を兼ねていたものと比べて低くなる。したがって、取っ手部材に課される材質及び形状等の制限が緩く、部材の成型のしやすさや取っ手の持ちやすさを最大限に考慮した材質及び形状等によって取っ手部材を構成することが可能である。
【００３７】
なお、掃除機本体のケース体には、ＡＢＳ樹脂が用いられることが多いが、取っ手部材としては、例えば、ＰＯＭ（ポリオキシメチレン、ポリアセタール）樹脂を好ましく用いることができる。
【００３８】
実施の形態２．
図１０及び図１１は、この発明の実施の形態２に係るもので、図１０は掃除機本体の側方要部断面図、図１１は図１０の要部拡大断面図である。
【００３９】
ここで説明する実施の形態２は、前述した実施の形態１の構成の一変形例である。前述した実施の形態１では、取っ手部材の形状について、取っ手部材内に形成される取っ手内空間がケース体内の前方へと延びるようにした。これに対し、ここで説明する実施の形態２は、取っ手部材内に形成される取っ手内空間がケース体内を取っ手用開口部から上方へと延びるようにするが、ケース体内の前方へとは延設しないようにしたものである。
【００４０】
すなわち、図１０及び図１１に示すように、取っ手部材９は、下ケース７と上ケース８とで構成される前記ケース体とは別部材である。また、取っ手部材９の一端側は開口され、他端側は閉じられて袋小路状である。そして、このような取っ手部材９が、その開口を取っ手用開口部７ａに接続するようにして、取っ手部材９を下ケース７の上側から前記ケース体の内部側に取り付けられている。
【００４１】
このようにして、取っ手部材９が下ケース７に取り付けられることで、取っ手部材９と下ケース７の取っ手用開口部７ａとにより、掃除機本体６の前記取っ手部が形成される。この状態において、取っ手内空間９ａは、前記ケース体内を取っ手用開口部７ａから上方へと延びて配置される。
なお、他の構成は実施の形態１と同様であって、その詳細な説明は省略する。
【００４２】
以上のように構成された電気掃除機においても、使用者が取っ手を持つ際には、使用者の手は、ケース体の取っ手用開口部に通された上で取っ手部材の取っ手内空間へと通されることになる。したがって、使用者が取っ手を持ち掃除機本体を持ち上げた際に取っ手がケースから外れても、使用者はケース体の取っ手用開口部でもって掃除機本体を支持することができ、掃除機本体が落下してしまうことを未然に防止することが可能である。
【００４３】
また、取っ手部材を取り付けるために下ケースの天地をひっくり返す必要がなく、組立製造性に優れる。さらに、取っ手部材は、ケース体の内側に配設されており、取っ手部材は掃除機本体の外郭を兼ねるものではないため、取っ手部材に課される材質及び形状等の制限が緩く、部材の成型のしやすさや取っ手の持ちやすさを最大限に考慮した材質及び形状等によって取っ手部材を構成することが可能である。
【符号の説明】
【００４４】
１  吸込口体、  ２  吸引パイプ、  ３  接続パイプ、  ３ａ  把持部、  ４  ホース、  ５  ホース接続部、  ６  掃除機本体、  ６ａ  ホース接続口、  ６ｂ  集塵部、  ６ｃ  後輪、  ６ｄ  前輪、  ７  下ケース、  ７ａ  取っ手用開口部、  ８  上ケース、  ８ａ  ケース前端部、  ８ｂ  逆傾斜面部、  ９  取っ手部材、  ９ａ  取っ手内空間、  ９ｂ  取っ手前面部
【図１】
2014083068.tif 000003
【図２】
2014083068.tif 000004
【図３】
2014083068.tif 000005
【図４】
2014083068.tif 000006
【図５】
2014083068.tif 000007
【図６】
2014083068.tif 000008
【図７】
2014083068.tif 000009
【図８】
2014083068.tif 000010
【図９】
2014083068.tif 000011
【図１０】
2014083068.tif 000012
【図１１】
2014083068.tif 000013